(57)【特許請求の範囲】
【請求項１】
基台(2)の底板(6)から複数の可撓性を有するマッサージ用突起(10)を垂設してなり、
各マッサージ用突起(10)は、上記底板(6)と連続して下方へ延びる硬質の芯部(12)と、この芯部(12)の外周面から先端面に亘って覆う被覆体(14)とからなり、
かつ上記被覆体(14)の上端部から延出した固定板(8)を基台(2)の底板(6)の下面に取り付け、
上記被覆体(14)及び固定板(8)を、上記芯部(12)より柔軟な弾性材料で形成するとともに、さらに上記被覆体(14)の下端側の被覆端部(16)の一部を厚くして、複数の下方へ突出する摩擦用凸部(18)に形成し、
各マッサージ用突起(10)は、同一の水平な第１方向(X)に対して撓み易く、これと直交する水平な第２方向(Y)に撓みにくく形成し、
芯部(12)は、上記第２方向(Y)に長い横断面を有する帯板状に形成し、
かつ第１方向(X)の被覆体(14)の厚さが上記芯部(12)の先端から基端に向かうに従って増大することを特徴とする、洗髪用ブラシ。
【請求項２】
上記被覆端部(16)の長手方向に沿って上記複数の摩擦用凸部(18)を配列したことを特徴とする、請求項１記載の洗髪用ブラシ。
【請求項３】
上記被覆体(14)はエラストマーで形成したことを特徴とする、請求項２記載の洗髪用ブラシ。
【請求項４】
上記被覆体(14)を半透明の材料で、上記芯部(12)を、被覆体と色違いの有色材料でそれぞれ形成するとともに、上記摩擦用凸部(18)付きの被覆端部(16)を第２方向(Y)からみて波状に形成し、未使用の状態に比べて上記被覆端部が摩擦により摩耗した状態の方が、下方から見て被覆端部(16)を透かして芯部(12)の色が明瞭に見えるように構成したことを特徴とする、請求項２又は請求項３記載の洗髪用ブラシ。
【発明の詳細な説明】
【技術分野】
【０００１】
本発明は、洗髪用ブラシに関する。
【背景技術】
【０００２】
この種のブラシとして、先端部をやや大径に形成したマッサージ用突起を基台の裏面から多数突設したものが知られている（特許文献１）。
【先行技術文献】
【特許文献】
【０００３】
【特許文献１】実開昭60−79425
【発明の概要】
【発明が解決しようとする課題】
【０００４】
特許文献１のブラシは、マッサージ用突起が単一の材料（エラストマーなど）で形成されているために、洗髪時の感触が一様であり、使用者の好みに合わないときには買い替えるしかなかった。また長期間使用していると、損耗したり、水垢や石鹸カスによる汚れが溜り、不衛生になるが、使用者の使用の頻度や使い方により損耗・汚れ方の違いがあり、交換時期がわかりにくい。
【０００５】
本発明の第１の目的は、マッサージ用突起の摩耗の程度が触覚又は視覚で容易に判る洗髪用ブラシを提供することであり、本発明の第２の目的は、頭髪を擦る方向により触感の異なる洗髪用ブラシを提供することである。
【課題を解決するための手段】
【０００６】
第１の手段は、
基台2の底板6から複数の可撓性を有するマッサージ用突起10を垂設してなり、
各マッサージ用突起10は、上記底板6と連続して下方へ延びる硬質の芯部12と、この芯部12の外周面から先端面に亘って覆う被覆体14とからなり、
かつ上記被覆体14の上端部から延出した固定板8を基台2の底板6の下面に取り付け、
上記被覆体14及び固定板8を、上記芯部12より柔軟な弾性材料で形成するとともに、さらに上記被覆体14の下端側の被覆端部16の一部を厚くして、複数の下方へ突出する摩擦用凸部18に形成し、
各マッサージ用突起10は、同一の水平な第１方向Xに対して撓み易く、これと直交する水平な第２方向Yに撓みにくく形成し、
芯部12は、上記第２方向Yに長い横断面を有する帯板状に形成し、
かつ第１方向Xの被覆体14の厚さが上記芯部12の先端から基端に向かうに従って増大する。
【０００７】
本手段は、洗髪用ブラシにおいて、マッサージ用突起10を、芯部12の表面を摩擦用凸部18付きの被覆体14で覆い、かつ芯部12を硬材質で、被覆体14を軟材質で形成することを提案している。これにより頭髪や皮膚に接するときの感触が変わり、ブラシを交換する時期が判る。
【０００９】
また本手段は、図１に示すように第１方向Xに撓み易く、これと直交する第２方向Yに撓みにくいように形成することを提案している。これにより、使用者がソフトな感触を好むときには第１方向へ、強い感触を好むときには第２方向へブラッシングすればよい。方向により撓み方が異なるように形成する方法としては、芯部12の上下方向の全部又は一部を、第２方向に比べて第１方向Xに肉薄とした形状とすればよい。これについては後述する。単に芯部12を第１方向Xに肉薄とすると、その方向に屈曲変形したときに損傷して元の状態に復元しなくなる可能性があるので、弾性を有する被覆体14で芯部12を覆っている。
また本手段では、図１に示すように芯部12を第２方向Yに長い形状に形成している。これにより第２方向Yへの撓みにくい（第１方向Xへの撓み易い）構造としている。
さらに本手段では、図４（a）に示す如く第１方向Xの被覆体14の厚さが上記芯部12の先端から基端に向かうに従って増大させて十分な弾性力が得られるようにしている。
【００１０】
第２の手段は、第１の手段を有し、かつ
上記被覆端部16の長手方向に沿って上記複数の摩擦用凸部18を配列している。
【００１１】
本手段では、被覆端部16の長手方向に複数の摩擦用凸部18を無理なく配列している。また摩擦用凸部18の摩耗により、マッサージ用突起10の形態が、図５（a）に示す未使用状態のものから図７に示すものへ大きく変わるので、利用者が摩耗に気付き易い。
【００１２】
第３の手段は、第２の手段を有し、かつ上記被覆体14はエラストマーで形成している。
【００１３】
本手段では、第２の手段の実用的な態様を提案している。すなわち、被覆体14の素材として比較的廉価な弾性材としてエラストマーを採用している。
【００１４】
第４の手段は、第２の手段又は第３の手段を有し、かつ
上記被覆体14を半透明の材料で、上記芯部12を、被覆体と色違いの有色材料でそれぞれ形成するとともに、上記摩擦用凸部18付きの被覆端部16を第２方向Yからみて波状に形成し、未使用の状態に比べて上記被覆端部が摩擦により摩耗した状態の方が、下方から見て被覆端部16を透かして芯部12の色が明瞭に見えるように構成した。
【００１５】
本手段は、被覆体14を半透明の材料で、芯部12を有色材料で形成し、図10(b)に示すように摩擦用凸部18が摩耗したときに被覆体14の色が下方から透けて見えるようにすることを提案している。これによりブラシの交換時期が容易に判る。
【発明の効果】
【００１６】
第１の手段に係る発明によれば、マッサージ用突起10の芯部12を硬材質で、被覆体14を軟材質で形成したから、感触により摩耗の程度が判り、ブラシの交換時期がわかる。
また第１の手段に係る発明によれば、マッサージ用突起10の芯部12を水平な第１方向Xに撓み易く、これと直交する第２方向Yに撓み難く形成したから方向により触感が異なるブラシが得られ、また芯部12を覆う被覆体14の下端から延出した固定板8を、弾性を有する被覆体14で覆ったから、芯部12を撓み易い方向に倒したとしても、被覆体14の弾性力により元の位置に確実に復帰する。
さらに第１の手段に係る発明によれば、第２方向Yの被覆体14の厚さをマッサージ用突起10の先端から基端に亘って増加するように設けたから、十分な弾性力が得られる。
第２の手段に係る発明によれば、被覆端部16の長手方向に沿って複数の摩擦用凸部18を配列したから、摩擦用凸部18の摩耗が形状の変化から一見して判る。
第３の手段に係る発明によれば、被覆体14をエラストマーで形成したから、十分な弾性力が得られる。
第４の手段に係る発明によれば、摩擦用凸部18の摩耗により芯部12の色が透けて見えるようにしたから、交換時が判る。
【図面の簡単な説明】
【００１７】
【図１】本発明の第１実施形態に係る洗髪用ブラシの底面図である。
【図２】図１のブラシを第２方向Yから見た側面図である。
【図３】図１のブラシを第１方向Xから見た側面図である。
【図４】図１のブラシのマッサージ用突起の拡大断面図であり、図４（ａ）は第２方向Yから見た縦断面図であり、図４（ｂ）は図４（ａ）のＡ−Ａ方向に見た横断面図である。
【図５】図４のマッサージ用突起の拡大断面図であり、図５（ａ）は図４（ａ）のＢ−Ｂ方向から見た縦断面図、図５（ｂ）は、その底面図である。
【図６】図４のマッサージ用突起の作用説明図であり、図６（ａ）は第１方向Xに移動したときのマッサージ用突起の撓みの様子を、図６（ｂ）は第２方向Yに移動したときのマッサージ用突起の撓みの様子を表している。
【図７】図４のマッサージ用突起が摩耗した状態を示す図である。
【図８】本発明の第２実施形態に係る洗髪用ブラシの第１方向Xから見た側面図である。
【図９】図８のブラシの要部の拡大図であり、図９（ａ）はその第１方向Xからみた側面図、図９（ｂ）はその底面図である。
【図１０】図９の要部の摩耗後の状態を示す図であり、図10（ａ）はその第１方向Xから見た側面図、図10（ｂ）はその底面図である。
【発明を実施するための最良の形態】
【００１８】
図１から図７は、本発明の第１の実施形態に係る洗髪用ブラシを示している。この洗髪用ブラシは、基台2と、マッサージ用突起10とを具備している。
【００１９】
基台2は、本体4と底板6と固定板8とで構成されている。上記本体4は、頂板4aから周壁4bを垂下してなる。上記底板6は、その外周部から起立する嵌合筒７を、上記周壁4bの下部内面に篏合させている。上記固定板8は、底板6のほぼ全体を覆って取り付けられている。上記本体4には図示しないハンドルを付設してもよい。
【００２０】
マッサージ用突起10は、縦長棒状の芯部12と被覆体14とで形成している。図示のマッサージ用突起10は、図５（ｂ）に示すように下側から見て楕円状に形成しているが、その形状は適宜変更することができる。
【００２１】
上記芯部12は、底板6の複数個所から固定板8を貫通して垂下している。底板6と芯部12とは硬質材料で一体に形成するとよい。好適な素材は、合成樹脂、例えばポリプロピレンである。
【００２２】
上記芯部12は、第１方向Xに撓み易くかつこれと直交する第２方向Yに撓みにくいように形成する。本実施形態では、芯部12を第２方向Yに長い断面形状を有する帯板に形成しているが、この構造は適宜変更することができる。例えば芯部12の上部（基部）のみを薄板状としたような態様も本願の芯部12の構成に含まれる。全ての芯部12が同じ第１方向Xに撓み易く、かつ同じ第２方向Yに撓みにくいように形成することで、第１方向Xへブラッシングしたときの肌への感触はソフトとなり、第２方向Yにブラッシングしたときの肌への感触は強くなる。
【００２３】
図示例では、上記芯部12は、図４（ａ）に示すように第２方向Yから見て上下方向に一定の厚さでかつ図５（ａ）に示すように第１方向Xから見て下端側小巾のテーパ状の帯板に形成している。しかしその構造は適宜変更することができる。
【００２４】
上記被覆体14は、芯部12の外周面から先端面に至る表面全体を覆っている。この被覆体14と上記の固定板8とは一体に連続成形されており、柔軟な弾性材料、好ましくはエラストマーで形成する。
【００２５】
図示の被覆体14は、第１方向Xから見ると図５（ａ）に示すように芯部12に沿って一定の巾厚であるが、第２方向Yから見ると図４（ａ）に示すように先端部（下端部）から基端部（上端部）に向かって徐々に巾厚が増加するように形成している。基端部側を巾厚にしかつ上記固定板8と連続形成することで、第１方向Xにマッサージ用突起10が撓むときに十分な弾性復元力を発揮することができる。
【００２６】
上記被覆体14は、芯部12の先端面を覆う被覆端部16を有し、その被覆端部16の一部を肉厚に設けて、下方へ突出する摩擦用凸部18を形成している。
【００２７】
この摩擦用凸部18は、ブラシ毛の先端と同様に皮膚に接してマッサージ効果を生ずる役割を有する。故に摩擦用凸部18は、頭皮Ｓを傷付けることのないように頭皮への当接により変形可能に設ける。
【００２８】
好適な図示例では、被覆端部16の長手方向（第２方向Y）の一部を複数箇所に亘って摩擦用凸部18に形成し、摩擦用凸部18付きの被覆端部16が図５（a）に示す略波状となるように形成している。一本のマッサージ用突起10で複数本のブラシ毛に相当するマッサージ効果が得られるからである。もっとも各被覆端部16が一つの摩擦用凸部18を有する構造も本発明の範囲から除外しない。
【００２９】
なお、本願の洗髪用ブラシのうち、本体4を除く部分（芯部12付きの底板6及び被覆体14付きの固定板8）は、インサート成形または２色成形により一体的に形成することが望ましい。
【００３０】
上記構成によれば、図６（a）に示す如く、洗髪用ブラシを黒矢印で示す方向(第１方向X）にブラッシングすると、芯部12を含むマッサージ用突起10は大きく撓む。換言すれば、ブラシを動かす方向と反対側に逃げるようにマッサージ用突起10が変形するので、頭皮Ｓには同図に白矢印で示すように小さな摩擦力Ｆが作用する。頭皮Ｓからマッサージ用突起10を離すと、マッサージ用突起10は、被覆体14の弾性復元力により元の垂直状態に復帰する。
【００３１】
また図６（ｂ）に示す如く、洗髪用ブラシを黒矢印で示す方向（第２方向Y）にブラッシングすると、芯部12は殆ど撓まず、摩擦用凸部18が僅かに撓むに留まる。換言すれば、ブラシを動かす力に各マッサージ用突起10が抵抗するので、頭皮Ｓには同図に白矢印で示すように大きな摩擦力Ｆが作用する。従ってブラッシングの方向を変えることで洗髪用ブラシの強さを使い分けることができる。
【００３２】
また洗髪用ブラシを長期間使用すると、被覆端部16は摩擦用凸部18が摩耗して図７のように平坦になり、略波状である図５の未使用形態から変化する。通常のブラシ毛が摩耗する場合と比較して形状の変化が大きいので、まず利用者が視覚により摩耗に気付き易い。また摩擦用凸部18が図７のように摩耗すると頭皮Ｓに対する感触が変化する。同図の状態からさらに被覆端部16が摩耗すると、硬材質の芯部12が露出するので、さらに感触が変化する。これにより利用者が触覚により摩耗に気付くことができる。故に利用者が視覚又は触覚によりブラシの交換時期を認識できる。
【００３３】
以下本発明の他の形態について説明する。これらの説明において第１実施形態と同じ構造については解説を省略する。
【００３４】
図８から図10は、本発明の第２実施形態に係る洗髪用ブラシを示している。
【００３５】
本実施形態は、被覆体14を、半透明（好ましくは不透明に近い半透明）の材料で形成し、また芯部12を、被覆体14とは色違いの有色材料で形成したものである。
【００３６】
摩擦用凸部18を除く被覆端部16の厚さｄ１は、図10（a）のように摩擦用凸部18が完全に摩耗した状態で下方から芯部12の色を視認可能な程度に設定する。
【００３７】
また摩擦用凸部18を含む被覆端部16の厚さｄ２は、その摩擦用凸部18を含む被覆端部16を透過して芯部12を見たときに、芯部12の色を視認できない程度、或いは摩擦用凸部18が摩耗した場合と比べて芯部12の色を視認しにくい程度に設定する。
【００３８】
上記構成によれば、図10（ａ）のように摩擦用凸部18が摩耗したときに、図10（ｂ）に示すようにマッサージ用突起10の底面側に芯部12が透けて見えるので、マッサージ用ブラシの交換時期が判る。
【符号の説明】
【００３９】
2…基台  4…本体  4a…頂板  4b…周壁  6…底板  ７…嵌合筒  8…固定板
10…マッサージ用突起  12…芯部  14…被覆体  16…被覆端部  18…摩擦用凸部
Ｓ…頭皮
【図１】
0005903744.tif 000002
【図２】
0005903744.tif 000003
【図３】
0005903744.tif 000004
【図４】
0005903744.tif 000005
【図５】
0005903744.tif 000006
【図６】
0005903744.tif 000007
【図７】
0005903744.tif 000008
【図８】
0005903744.tif 000009
【図９】
0005903744.tif 000010
【図１０】
0005903744.tif 000011